(57)【要約】      （修正有）【課題】簡単な構成で、帽子として見栄えがよく、且つ、折りたたんで比較的小型のポシェットに形状を変化させることができる帽子を提供する。【解決手段】小物を入れるポシェットに形状が変化する帽子Ｈであって、開口部３を有する裏地１，２の周囲が帽子Ｈの少なくともトップクラウンＨｔの周囲と縫合されており、トップクラウンＨｔの裏面にポケット５が設けられており、裏地１、２を開口部３からトップクラウンＨｔの反対側に裏返すことにより、裏地１、２とトップクラウンＨｔとの間に収容部を形成して帽子Ｈを折り畳んで収容し、トップクラウンＨｔの裏面に設けられたポケット５が外側に位置したポシェットに形状を変化させることができるよう構成されている。【選択図】図４
0003191233.tif 000002
【実用新案登録請求の範囲】
【請求項１】
小物を入れるポシェットに形状が変化する帽子であって、
開口部を有する裏地の周囲が前記帽子の少なくともトップクラウンの周囲と縫合されており、
前記トップクラウンの裏面にポケットが設けられており、
前記裏地を開口部からトップクラウンの反対側に裏返すことにより、前記裏地とトップクラウンとの間に収容部を形成して帽子を折り畳んで収容し、前記トップクラウンの裏面に設けられたポケットが外側に位置したポシェットに形状が変化することを特徴とする帽子。
【請求項２】
前記裏地が伸縮性を有するメッシュにより構成されていることを特徴とする請求項１に記載の帽子。
【請求項３】
前記帽子の側部と、前記ポシェットの側部とにそれぞれ一対のループを設け、
それぞれ一対のループに共通のひもの両端を着脱可能に取り付けることを特徴とする請求項１または２のいずれかに記載の帽子。
【考案の詳細な説明】
【技術分野】
【０００１】
本考案は、帽子に関し、さらに詳しくは、小物を入れるポシェットに形状が変化する帽子に関するものである。
【背景技術】
【０００２】
本考案に関連する従来の技術としては、例えば特許文献１が知られている。
特許文献１には、互いに重なり合う２枚の庇を備え、各庇に互いに重なり合う帽子本体を縫着し、前記両帽子本体の周囲を一部を残して縫着し、両帽子本体を互いに重なった状態と互いに反対側に突出させた状態とになるように構成し、両帽子本体の周囲の縫着していない部分に位置している２枚の庇間を開放可能に構成するとともにこの２枚の庇の閉塞状態を保持する手段を備え、さらに周囲両側に肩掛け紐の両端に取り付けたポシェット兼用の帽子が開示されている。
【０００３】
すなわち、特許文献１においては、２つの帽子本体の庇以外の部分を互いに縫着して、２つの帽子本体によってポシェットとして使用可能な袋状にするものであり、２枚の庇の間が小間物を出し入れするための口となるよう構成されている。
【先行技術文献】
【特許文献】
【０００４】
【特許文献１】実開昭６３−４２１２３号公報
【考案の概要】
【考案が解決しようとする課題】
【０００５】
上記特許文献１にあっては、ポシェットとしたときの外観が、単に二つの帽子を組合わせた形状となり、また、帽子として使用するときに２枚の庇が重なっているため、見栄えが良くないという問題があった。また、２つの帽子本体により袋状とすることから、一般的なポシェットと呼べるような小型のものではなく、肩掛けひもにより肩に掛けるには大きすぎるなどの問題があった。
【０００６】
本考案は、上述した問題に鑑みてなされたもので、簡単な構成で、帽子として見栄えがよく、且つ、折りたたんで比較的小型のポシェットに形状を変化させることができる帽子を提供することを目的とする。
【課題を解決するための手段】
【０００７】
請求項１の帽子に係る考案は、上記目的を達成するため、小物を入れるポシェットに形状が変化する帽子であって、開口部を有する裏地の周囲が前記帽子の少なくともトップクラウンの周囲と縫合されており、前記トップクラウンの裏面にポケットが設けられており、前記裏地を開口部からトップクラウンの反対側に裏返すことにより、前記裏地とトップクラウンとの間に収容部を形成して帽子を折り畳んで収容し、前記トップクラウンの裏面に設けられたポケットが外側に位置したポシェットに形状が変化することを特徴とする。
請求項２の帽子に係る考案は、上記目的を達成するため、請求項１に記載の考案において、前記裏地が伸縮性を有するメッシュにより構成されていることを特徴とする。
請求項３の帽子に係る考案は、上記目的を達成するため、請求項１または２のいずれかに記載の考案において、前記帽子の側部と、前記ポシェットの側部とにそれぞれ一対のループを設け、それぞれ一対のループに共通のひもの両端を着脱可能に取り付けることを特徴とする。
【０００８】
請求項１の考案では、開口部を有する裏地の周囲がトップクラウンの周囲に縫合されており、トップクラウンの裏面にポケットが設けられているため、裏地を開口部からトップクラウンの反対側に裏返すことにより形成される収容部は、トップクラウンとほぼ同じ大きさで、且つ、比較的薄いものとなる。したがって、帽子を折り畳んで収容部に収容してポシェットに形状を変化させた際に、かかるポシェットもトップクラウンとほぼ同じ大きさで、且つ、比較的薄いものとなる。そして、裏地を開口部からトップクラウンの反対側に裏返して、収容部に帽子を折り畳んで収容すると、ポケットが外側に位置してなるポシェットに形状が変化する。
請求項２の考案では、請求項１に記載の考案において、前記裏地が伸縮性を有するメッシュにより構成されていることにより、帽子として使用する際に通気性がよく、また、ポシェットに形状を変化させる際に、容易に開口部から裏返して収容部を形成し、また、収容部に折り畳んで収容した帽子が通気されるのを可能にする。
請求項３の考案では、請求項１または２のいずれかに記載の考案において、前記帽子の側部と、前記ポシェットの側部とにそれぞれ一対のループを設け、それぞれ一対のループに共通のひもの両端を着脱可能に取り付けることにより、単一のひもを帽子の顎ひもとポシェットの肩掛けひもとして使用する。
【考案の効果】
【０００９】
請求項１に記載の考案によれば、開口部を有する裏地の周囲が前記帽子の少なくともトップクラウンの周囲と縫合されており、前記トップクラウンの裏面にポケットが設けられており、前記裏地を開口部からトップクラウンの反対側に裏返すことにより、前記裏地とトップクラウンとの間に収容部を形成して帽子を折り畳んで収容し、前記トップクラウンの裏面に設けられたポケットが外側に位置したポシェットに形状が変化するよう構成されているため、帽子からポシェットの形状を変化させる際に、収容部をトップクラウンとほぼ同じ大きさで、且つ、比較的薄いものとすることができ、したがって、比較的小型のポシェットに形状を変化させることができる。そして、この帽子から形状が変化したポシェットは、ポケットが外側に位置しているため、小物を収容することができる。
請求項２に記載の考案によれば、請求項１に記載の考案において、前記裏地が伸縮性を有するメッシュにより構成されていることにより、帽子として使用する際に通気性がよく、また、ポシェットに形状を変化させる際に、容易に開口部から裏返して収容部を形成することができ、また、収容部に折り畳んで収容した帽子を通気させることができる。
請求項３に記載の考案によれば、請求項１または２のいずれかに記載の考案において、前記帽子の側部と、前記ポシェットの側部とにそれぞれ一対のループを設け、それぞれ一対のループに共通のひもの両端を着脱可能に取り付けることにより、単一のひもを帽子の顎ひもとポシェットの肩掛けひもとして使用することができる。
【図面の簡単な説明】
【００１０】
【図１】本考案の帽子の側面図である。
【図２】図１に示した帽子の平面図である。
【図３】図１に示した帽子の底面図である。
【図４】図１に示した帽子の縦断側面図である。
【図５】ポシェットに形状を変化させた状態を説明するために示した縦断側面図である。
【図６】ポシェットの正面図である。
【図７】ポシェットの背面図である
【考案を実施するための形態】
【００１１】
本考案の帽子の実施の一形態を、図に基づいて詳細に説明する。
本考案の帽子Ｈは、概略、小物を入れるポシェットＰに形状が変化するものであって、開口部３を有する裏地１，２の周囲が帽子Ｈの少なくともトップクラウンＨｔの周囲と縫合されており、トップクラウンＨｔの裏面にポケット５が設けられており、裏地１、２を開口部３からトップクラウンＨｔの反対側に裏返すことにより、裏地１、２とトップクラウンＨｔとの間に収容部Ｓを形成して帽子Ｈを折り畳んで収容し、トップクラウンＨｔの裏面に設けられたポケット５が外側に位置したポシェットＰに形状を変化させることができるよう構成されている。
【００１２】
この実施の形態においては、帽子Ｈが、クラウンの周囲に全周にわたって、ブリムＨｖを有する所謂ハットである場合で説明する。クラウンは、トップクラウンＨｔとサイドクラウンＨｓとにより構成されている。帽子Ｈは、全体が布によって構成されており、折り畳むことが可能となっている。帽子Ｈは、抗菌・防臭加工された布を採用することが好ましい。
【００１３】
図３及び図４に示すように、帽子ＨのトップクラウンＨｔには、二枚に分割された裏地１、２が設けられている。裏地１、２は、トップクラウンＨｔの裏面にほぼ中央で重ね合わせるように配置され、それぞれ周囲がトップクラウンＨｔの周囲と縫合されている。両裏地１、２の互いに重ね合わせた対向面には、それぞれ面ファスナー１ａ、２ａが取り付けられている。図４に示すように、面ファスナー１ａ、２ａを離して広げることにより、裏地１、２に開口部３が形成されることとなる。なお、この実施の形態では、トップクラウンの裏地１、２とは別に、サイドクラウンＨｓにも裏地４が設けられている。裏地１、２、４は、伸縮性を有するメッシュにより構成されている。
【００１４】
トップクラウンＨｔの裏面（帽子Ｈの状態での下面）にはポケット５が設けられている。ポケット５は、トップクラウンＨｔの約半分の大きさの布の周囲をトップクラウンＨｔの裏面における周囲と縫着することにより構成されている。
【００１５】
帽子Ｈの下面におけるサイドクラウンＨｓの下方とブリムＨｖとの境界における両側部には、後述する顎ひも９の両端を取り付けるための一対のループ６、６が設けられている。また、図６および図７に示すように、形状をポシェットＰに変化させたときの両側部には、後述する肩掛けひも９の両端を取り付けるための一対のループ７、７が設けられている。さらに、図３及び図４に示すように、帽子Ｈの状態における後方には、日よけを取り付けるためのループ１１が、ループ６、６と同様に設けられている。
【００１６】
ひも９は、両端にループ６と７に対して着脱可能なナスカンフック９ａが取り付けられており、ループ６に取り付けた場合には顎ひもとして、また、ループ７に取り付けた場合には肩掛けひもとして、共通で使用することができる。そして、ひも９の中間部分には、セーフティジョイント１０が介装されている。このセーフティジョイント１０は、所定の大きな力で引っ張られると分離するもので、ひも９をループ６に取り付けて顎ひもとして使用する際に、たとえば帽子Ｈが風で飛ばされそうになった場合などに、顎ひもで首が絞まるのを防止することができる。
【００１７】
図１および図２に示すように、帽子Ｈの外側におけるサイドクラウンＨｓの下方とブリムＨｖとの境界には、夜間に光を反射するリフレクター１２が縫合されている。また、図１、図２、及び図４に示すように、帽子Ｈには、装着者の頭部のサイズに応じてクラウンの周囲を収縮させるサイズ調整手段１３が設けられている。サイズ調整手段１３は、帽子Ｈの外側におけるサイドクラウンＨｓの下方に帯状のパーツＢの上下縁が縫合されており、所定の幅でサイドクラウンＨｓの全周にわたる袋状となっている。この袋状のパーツＢの内部には、ゴムひも１３ａが通されており、ゴムひも１３ａの端部が帽子の側部に縫合されている。ゴムひも１３ａの袋状のパーツＢから外部に出た中間部分にはストッパ１３ｂが設けられている。ストッパ１３ｂを適当な位置で止めることにより、ゴムひも１３ａが装着者の頭部のサイズに応じてクラウンの周囲を収縮させ調整することができる。
【００１８】
次に、以上のように構成された帽子ＨをポシェットＰに形状変化させる過程を説明する。帽子ＨからポシェットＰに形状を変化させるに際して、最初にループ６からひも９のナスカンフック９ａを取り外し、図４に示すように、トップクラウンＨｔの裏地１、２の面ファスナー１ａ、２ａを引き離して開口部３を形成し、裏地１、２をトップクラウンＨｔの上面側に裏返して収容部Ｓ（図５）を形成しつつ、この収容部Ｓ内に帽子Ｈを折り畳みながら収容し、裏地１、２の面ファスナーを接合する。すると、図６および図７に示すように、ポケット５が前面に露出し、背面が裏地１、２で覆われたポシェットＰに形状が変化することとなる。このポシェットＰの大きさは、図６および図７に示す大きさが帽子Ｈの状態でのトップクラウンＨｔとほぼ同じ大きさで、図５に示した厚さも各部を構成する布地が重なり合った程度と比較的薄いため、上記特許文献２のように帽子２つ分の大きさよりもかなり小さくすることができる。また、図６に示すように、ポケット５は、小物等を出し入れするための開口が上縁５ａに形成されるため、上記特許文献１のように２枚の庇を設ける必要がない。したがって、帽子Ｈとして１枚のブリムＨｖを有するだけで済むことから、見栄えが良好となる。その後、ひも９のナスカンフック９ａをループ７に取り付ける。これにより、ポケット５に小物を収容することができ、また、肩に掛けることができるポシェットＰに形状を変化させることができる。
【００１９】
一方、このポシェットＰから帽子Ｈに形状を変化させる場合には、最初にループ７からひも９のナスカンフック９ａを取り外し、ポシェットＰの背面の面ファスナー１ａ、２ａを引き離して裏地１、２に開口部３を形成し、裏地１、２をトップクラウンＨｔの下面側（ポケット５が設けられている側）に裏返して収容部Ｓに折り畳まれ収容されていた帽子を収容部Ｓから出して広げ、図４に示したように、トップクラウンＨｔの裏地１、２の面ファスナー１ａ、２ａを互いに重ねて係合する。
【００２０】
本考案では、裏地１、２の周囲をトップクラウンＨｔの周囲に縫合するため、ポシェットＰに形状を変化させた際に、トップクラウンＨｔとほぼ同じ大きさの比較的小型のポシェットＰに形状を変化させることができる。そして、収容部Ｓに帽子Ｈを折り畳んで収容するため、帽子Ｈとは全く異なる形状のポシェットＰに変化させることができるため、見栄えが良い。そして、裏地１、２に伸縮性を有するメッシュを採用することにより帽子Ｈの裏地として通気性が良いことは勿論のこと、トップクラウンＨｔに対して容易に裏返すことができ、しかも帽子Ｈを使用した後に折り畳んでポシェットＰに形状を変化させたときに、それまで使用され収容部Ｓに収容された帽子Ｈの通気性を確保することができる。また、帽子Ｈの側部と、ポシェットＰの側部とにそれぞれ一対のループ６と６および７と７を設けることによって、１本のひも９を顎ひもと肩掛けひもとして共通で使用することができる。
【００２１】
なお、本考案は、上述した実施の形態に限定されることはなく、帽子として、クラウンの前方に庇があるキャップとすることもできる。
【符号の説明】
【００２２】
Ｈ：帽子、  Ｈｔ：トップクラウン、  Ｈｓ：サイドクラウン、Ｈｖ：ブリム、  １、２；裏地、  １ａ、２ａ：面ファスナー、  ３：開口部、  ５：ポケット、  ６、７：ループ、  ９：ひも
【図１】
0003191233.tif 000003
【図２】
0003191233.tif 000004
【図３】
0003191233.tif 000005
【図４】
0003191233.tif 000006
【図５】
0003191233.tif 000007
【図６】
0003191233.tif 000008
【図７】
0003191233.tif 000009